(57)【要約】【課題】  処理における作業性の向上を図るとともにノイズ遮蔽性能を向上させることができるシールド電線のアース処理構造を提供すること。【解決手段】  編組線１４を芯線被覆部１３の外周方向に引き出して鍔状部１６を成形し、絶縁外皮１５の外周において、スリーブ１７，１８を用いて鍔状部１６に付属線１９を接続させてアース処理を行うシールド電線１０のアース処理構造。【選択図】        図１
2006156299.tif 000002
【特許請求の範囲】
【請求項１】
導体からなる芯線部と、
前記芯線部を覆う芯線被覆部と、
前記芯線被覆部の周囲に設けられた編組線と、
前記編組線の周囲に設けられて前記芯線部、前記芯線被覆部、前記編組線を覆う樹脂製の絶縁外皮と、からなるシールド電線のアース処理構造であって、
前記編組線を前記芯線被覆部の外周方向に引き出して鍔状部を形成し、前記絶縁外皮の外周で、スリーブを介して該鍔状部に付属線を接続させてアース処理を行うことを特徴とするシールド電線のアース処理構造。
【請求項２】
請求項１に記載のシールド電線のアース処理構造であって、
前記スリーブは、前記鍔状部と前記絶縁外皮間に配置される第１スリーブと、前記鍔状部の外周に外嵌される第２スリーブとからなり、
該第１スリーブ又は該第２スリーブと前記鍔状部との間に付属線を挿入接続させてアース処理を行うことを特徴とするシールド電線のアース処理構造。
【請求項３】
導体からなる芯線部と、
前記芯線部を覆う芯線被覆部と、
前記芯線被覆部の周囲に設けられた編組線と、
前記編組線の周囲に設けられて前記芯線部、前記芯線被覆部、前記編組線を覆う樹脂製の絶縁外皮と、からなるシールド電線のアース処理構造であって、
前記編組線を前記芯線被覆部の外周方向に引き出して鍔状部を成形し、前記絶縁外皮の外周で、該鍔状部と該芯線被覆部との間に第１スリーブを配置するとともに、前記鍔状部の外周に第２スリーブを外嵌させ、該第１スリーブ又は該第２スリーブと前記鍔状部との間に付属線を挿入接続させてアース処理を行うことを特徴とするシールド電線のアース処理構造。
【発明の詳細な説明】
【技術分野】
【０００１】
本発明は、シールド電線の端末において編組線を接地するシールド電線のアース処理構造に関する。
【背景技術】
【０００２】
従来のシールド電線のアース処理構造の一例として、シールド端子の一側を絶縁外皮上に載置すると共に、このシールド端子の一側の上に樹脂チップを重ねた状態で超音波加振して少なくとも絶縁外皮を溶融飛散させてシールド端子の一側と編組線とが導通接触するシールド導通部を形成したシールド電線のアース処理構造が知られている（例えば、特許文献１参照）。
【０００３】
また、従来のシールド電線のアース処理構造の他の一例として、シールド電線の端末のシールド層を絶縁シースの外周に折り返して、金属シェルのバレルで折り返したシールド層を加締めるとともに、バレルの爪部を折り返したシールド層に貫通させ、絶縁シースに食い込ませて絶縁シースを加締めるシールド電線のアース処理構造が知られている（例えば、特許文献２参照）。
【特許文献１】特開平１１−１３５１６７号公報
【特許文献２】特開平１０−２７０１２３号公報
【発明の開示】
【発明が解決しようとする課題】
【０００４】
ところが、上記特許文献１では、リード線の端部を絶縁外皮上に載置し、この上に樹脂チップを重ね、一対の超音波ホーン間に挟み込み、樹脂チップの上側から加圧しながら超音波振動を加えて処理するために、編組線および芯線部に大きな荷重が負荷されてそれらを損傷する虞がある。
【０００５】
また、上記特許文献２では、バレルの爪をシールド層に食い込ませるために、シールド層が破断する虞がある。
【０００６】
通常、このようなシールド電線における編組線は、網状に編み込まれて信号線の外周全周を長さ方向に覆うことにより、外乱に乗ったノイズが信号線に到達しないように接地回路を確実に形成することが望まれている。
ところが、図７に示すように、従来のシールド電線のアース処理構造では、シールド電線５０のシース５１を剥がし、編組線５２から芯線５３を引き出し、芯線５３の端末を皮むきして端子５４に圧着接続する。また、芯線５３から分離した編組線５２は捩り加工をしてからテープ巻きを行ったり収縮チューブを被せたりし、先端を切断してトリミングを行って端子５５に圧着接続していた。そのため、作業効率が低く、また、引き出された部分の編組線５２は線状に捩られてしまうために、外乱を遮蔽する容量が小さくなり、引き出された芯線５３に対するシールド効果が低下する虞がある。一方、編組線５２から引き出されて分離した芯線５３には、端子５４までの間に、コネクタ内を引き回される分で編組線５２に覆われていない非シールド範囲が存在する。また、編組線５２は、先端を揃えるトリミング等の付加作業に多くの工数を必要としていた。
【０００７】
本発明は、上述した事情に鑑みてなされたものであり、その目的は、処理における作業性の向上を図るとともにノイズ遮蔽性能を向上させることができるシールド電線のアース処理構造を提供することにある。
【課題を解決するための手段】
【０００８】
１）本発明に係るシールド電線のアース処理構造は、導体からなる芯線部と、前記芯線部を覆う芯線被覆部と、前記芯線被覆部の周囲に設けられた編組線と、前記編組線の周囲に設けられて前記芯線部、前記芯線被覆部、前記編組線を覆う樹脂製の絶縁外皮と、からなるシールド電線のアース処理構造であって、前記編組線を前記芯線被覆部の外周方向に引き出して鍔状部を形成し、前記絶縁外皮の外周で、スリーブを介して該鍔状部に付属線を接続させてアース処理を行うことを特徴とする。
【０００９】
前記１）に記載のシールド電線のアース処理構造によれば、スリーブは、絶縁外皮の外周において、芯線被覆部の外周方向に引き出された編組線の鍔状部に付属線を電気的に接続するために、編組線および芯線部に大きな荷重を負荷することがないので、それらを損傷したり、破断したりすることなく品質を維持することができる。また、芯線被覆部の外周方向に引き出された編組線の鍔状部は、鍔形状に形成されているために、シールド容量が小さくなることがないので、確実な接地回路を形成することができる。さらに、編組線は、トリミング等の付加作業を伴わずに付属線に電気的に接続されるので、作業効率を向上させることができる。従って、処理における作業性の向上を図るとともにノイズ遮蔽性能を向上させることができる。
【００１０】
２）本発明に係るシールド電線のアース処理構造は、前記１）に記載のシールド電線のアース処理構造であって、前記スリーブは、前記鍔状部と前記絶縁外皮間に配置される第１スリーブと、前記鍔状部の外周に外嵌される第２スリーブとからなり、該第１スリーブ又は該第２スリーブと前記鍔状部との間に付属線を挿入接続させてアース処理を行うことを特徴とする。
【００１１】
前記２）に記載のシールド電線のアース処理構造によれば、第１スリーブは、絶縁外皮の外周で、芯線被覆部の外周方向に引き出された編組線の鍔状部の内周側に大きな接触面積で電気的に接続されるとともに、第２スリーブは、鍔状部の外周側に大きな接触面積で電気的に接続されるために、シール容量が小さくなることなく、付属線に対して確実な接地回路を形成することができる。
【００１２】
３）本発明に係るシールド電線のアース処理構造は、導体からなる芯線部と、前記芯線部を覆う芯線被覆部と、前記芯線被覆部の周囲に設けられた編組線と、前記編組線の周囲に設けられて前記芯線部、前記芯線被覆部、前記編組線を覆う樹脂製の絶縁外皮と、からなるシールド電線のアース処理構造であって、前記編組線を前記芯線被覆部の外周方向に引き出して鍔状部を成形し、前記絶縁外皮の外周で、該鍔状部と該芯線被覆部との間に第１スリーブを配置するとともに、前記鍔状部の外周に第２スリーブを外嵌させ、該第１スリーブ又は該第２スリーブと前記鍔状部との間に付属線を挿入接続させてアース処理を行うことを特徴とする。
【００１３】
前記３）に記載のシールド電線のアース処理構造によれば、第１スリーブは、絶縁外皮の外周で、芯線被覆部の外周方向に引き出された編組線の鍔状部の内周側に大きな接触面積で電気的に接続されるとともに、第２スリーブは、鍔状部の外周側に大きな接触面積で電気的に接続されるために、シール容量が小さくなることなく、付属線に対して確実な接地回路を形成することができる。また、編組線および芯線部に大きな荷重を負荷することがないので、接続部分の品質を維持することができる。さらに、編組線は、トリミング等の付加作業を伴わずに付属線に電気的に接続されるので、作業効率を向上させることができる。従って、処理における作業性の向上を図るとともにノイズ遮蔽性能を向上させることができる。
【発明の効果】
【００１４】
本発明のシールド電線のアース処理構造によれば、編組線および芯線部に大きな荷重が負荷されないので、アース処理における作業性の向上を図るとともに、ノイズ遮蔽性能を向上させて高い品質のシールド電線を得ることができるという効果が得られる。
【発明を実施するための最良の形態】
【００１５】
以下、本発明に係る複数の実施の形態例を図面に基づいて詳細に説明する。
【００１６】
（第１実施形態）
図１は本発明に係るシールド電線のアース処理構造の第１実施形態を用いて作製したシールド電線の断面図、図２は図１に示すシールド電線の断面図、図３は図１に示すシールド電線のアース処理構造の変形例の断面図、図４は別形態のシールド電線の断面図である。
【００１７】
図１に示すように、本発明の第１実施形態であるシールド電線のアース処理構造のシールド電線１０は、導体からなる芯線部１１と、芯線部１１を覆う芯線被覆部１２と、芯線被覆部１２の周囲に設けられた編組線１４と、編組線１４の周囲に設けられて芯線部１１、芯線被覆部１２、編組線１４を覆う樹脂製の絶縁外皮（シース）１５と、からなる。
【００１８】
シールド電線１０の第１の特徴は、編組線１４を絶縁外皮１５の外周方向に引き出して鍔状部１６を成形したことである。この鍔状部１６は、鍔形状に形成されて絶縁外皮１５の外周に円筒形状に配置されるために、全体の表面積が小さくなることがないので、大きなシールド容量を保持し、確実な接地回路を形成するのに寄与する。
【００１９】
シールド電線１０の第２の特徴は、編組線１４の鍔状部１６に、第１スリーブ１７と、第２スリーブ１８と、を電気的に接続可能に組み付けたことである。
【００２０】
第１スリーブ１７は、導電性を有する材料によって、絶縁外皮１５の外径よりもわずかに大きい内径と、予め定められた外径と、を有して円環形状に形成されている。この第１スリーブ１７は、製造工程において、編組線１４の鍔状部１６が引き出される以前に絶縁外皮１５に組み付けられ、外周部に引き出された鍔状部１６が配置される。第１スリーブ１７は、引き出された鍔状部１６の長さと略同一の長さを有するために、鍔状部１６の内周に大きな面積で電気的に接続される。
【００２１】
第２スリーブ１８は、導電性を有する材料によって、第１スリーブ１７よりも大きな内径と、予め定められた外径と、を有して円環形状に形成されている。この第２スリーブ１７は、製造工程において、第１スリーブ１７が内挿された鍔状部１６の外周部に、接地回路に接続された付属線１９の芯線２０とともに被着される。第２スリーブ１７は、引き出された鍔状部１６の長さと略同一の長さを有するために、鍔状部１６の外周に大きな面積で電気的に接続される。
【００２２】
図２に示すように、シールド電線１０は、第１スリーブ１７および第２スリーブ１８が組付けられたところで、スウェージング加工により、外径を円形状に絞り成形される。これにより、編組線１４の鍔状部１６は、内周側が、第１スリーブ１７に大きな接触面積で電気的に接続され、外周側が、付属線１９の芯線２０とともに、第２スリーブ１８に大きな接触面積で電気的に接続される。このとき、スウェージング加工された第１スリーブ１７および第２スリーブ１８は、絶縁外皮１５、編組線１４および芯線被覆部１２に大きな荷重を負荷しないので、編組線１４および芯線部１１を損傷したり破断させたりすることがない。
【００２３】
このようなシールド電線１０は、以下の工程により製造される。
【００２４】
先ず、絶縁外皮１５を所定の位置で切断して、編組線１４を絶縁外皮１５の外周方向に引き出して鍔状部１６を成形する。絶縁外皮１５が除去された芯線部１１に端子２１が圧着接続される。
【００２５】
次に、第１スリーブ１７が編組線１４の鍔状部１６の内周部に組み付けられ、第２スリーブ１８が鍔状部１６の外周部に組み付けられ、付属線１９の芯線２０とともにスウェージング加工される。これにより、大きな面積を有する鍔状部１６に第１，第２スリーブ１７，１８が大きな接触面積で電気的に接続され、大きな接触面積で鍔状部１６に電気的に接続された第２スリーブ１８に付属線１９の芯線２０が電気的に接続される。このとき、芯線部１１は、小さい非シールド範囲を有して端子２１に電気的に接続される。
【００２６】
次に、図３を参照してシールド電線１０の変形例について説明する。本変形例では、六角加締め加工を用いている。この場合のシールド電線１０は、第１スリーブ１７および第２スリーブ１８が組付けられたところで、六角加締め加工により、外径を六角形状に加締め成形される。これにより、編組線１４の鍔状部１６は、内周側が、第１スリーブ１７に大きな接触面積で電気的に接続され、外周側が、付属線１９の芯線２０とともに、第２スリーブ１８に大きな接触面積で電気的に接続される。このとき、六角加締め加工された第１スリーブ１７および第２スリーブ１８は、絶縁外皮１５、編組線１４、芯線被覆部１２および芯線部１１に大きな荷重を負荷しないので、編組線１４および芯線部１１を損傷したり破断させたりすることがない。また、外周が第２スリーブ１８は、外周が六角形に成形されているために、コネクタ（不図示）内に挿着される際に、回り止めの機能を発揮することができる。
【００２７】
以上説明したように、本実施形態のシールド電線のアース処理構造によれば、第１スリーブ１７は、絶縁外皮１５の外周方向に引き出された編組線１４の鍔状部１６の内周側に大きな面積で電気的に接続されるとともに、第２スリーブ１８は、鍔状部１６の外周側に大きな面積で電気的に接続されるために、シール容量が小さくなることなく、付属線１９に対して確実な接地回路を形成することができる。また、編組線１４および芯線部１１に大きな荷重を負荷することがないので、それらを損傷したり、破断したりすることなく品質を維持することができる。さらに、編組線１４は、トリミング等の付加作業を伴わずに付属線１９の芯線２０に電気的に接続されるので、作業効率を向上させることができる。加えて、芯線部１１は、小さい非シールド範囲を有するために、芯線部１１に対して広い範囲でシールド効果を得ることができる。これらにより、処理における作業性の向上を図るとともにノイズ遮蔽性能を向上させることができる。また、スウェージング加工或いは六角加締め加工により、均一な外径を得ることができるので、外乱に対する遮蔽性を良好としてノイズの影響を受け難くすることができる。
【００２８】
なお、本実施形態のシールド電線のアース処理構造は、上述した一対の芯線部を有するシールド電線の他、単線の芯線部を有するシールド電線にも実施可能である。すなわち、図４に示すようなシールド電線１０Ａは、単線の導体からなる芯線部１１と、芯線部１１を覆う絶縁内皮１３と、絶縁内皮１３の周囲に設けられた編組線１４と、編組線１４の外周に設けられた絶縁外皮１５とからなる。アース処理構造に関しては、上記第１実施形態と同じなので説明を省略する。
【００２９】
（第２実施形態）
次に、本発明に係るシールド電線のアース処理構造の第２実施形態について図５および図６を参照して説明する。尚、既に説明したシールド電線１０と重複する構成要素等については、図中に同一符号あるいは相当符号を付すことにより説明を簡略化あるいは省略する。
【００３０】
図５は本発明に係るシールド電線のアース処理構造の第２実施形態に用いるスリーブの外観斜視図、図６は図５に示すスリーブを組み付けたシールド電線の側面図である。
【００３１】
図５に示すように、本発明の第２実施形態であるシールド電線のアース処理構造に用いられるスリーブ３０は、導電性を有する材料によってコ字形状に形成されており、対向配置された一対の側板３１，３１の上端部に圧接刃３２，３２を有する。
【００３２】
図６に示すように、スリーブ３０を用いて作成されるシールド電線４０は、芯線被覆部１２の外周方向に引き出された編組線１４の鍔状部１６に合わせてスリーブ３０が配置される。そして、鍔状部１６と、付属線１９の芯線２０と、がスリーブ３０の圧接刃３２，３２内に圧入される。圧接刃３２，３２は、通常、鍔状部１６と芯線２０とを合算した幅寸法よりも小さい隙間を有するために、鍔状部１６と付属線１９の芯線２０とが圧入されることにより、両者に圧接して電気的に接続される。
【００３３】
本実施形態のシールド電線のアース処理構造によれば、スリーブ３０は、絶縁外皮１５の外周方向に引き出された編組線１４の鍔状部１６に付属線１９の芯線２０を電気的に接続するために、編組線１４および芯線部１１に大きな荷重を負荷することがないので、それらを損傷したり、破断したりすることなく品質を維持することができる。また、絶縁外皮１５の外周方向に引き出された編組線１４の鍔状部１６は、鍔形状に形成されているためシールド容量が小さくなることがないので、確実な接地回路を形成することができる。さらに、編組線１４は、トリミング等の付加作業を伴わずに付属線１９の芯線２０に電気的に接続されるので、作業効率を向上させることができる。従って、処理における作業性の向上を図るとともにノイズ遮蔽性能を向上させることができる。
【００３４】
なお、本発明は、前述した実施形態に限定されるものではなく、適宜、変形、改良等が可能である。例えば、第１実施形態における第１，第２スリーブの形状は、図示した円環形状に代えて、多角形状であっても良い。
【００３５】
また、第２実施形態におけるスリーブは、接続端子を一体的に成形しても良く、そうすれば、接続端子を通じて接地回路を他の回路に形成することができる。
【図面の簡単な説明】
【００３６】
【図１】図１は本発明に係るシールド電線のアース処理構造の第１実施形態を用いて作製したシールド電線の断面図である。
【図２】図１に示したシールド電線の断面図である。
【図３】図２に示すシールド電線のアース処理構造の変形例の断面図である。
【図４】別形態のシールド電線の断面図である。
【図５】本発明に係るシールド電線のアース処理構造の第２実施形態に用いたスリーブの外観斜視図である。
【図６】図５に示したスリーブを組み付けたシールド電線の側面図である。
【図７】従来のシールド電線の外観図である。
【符号の説明】
【００３７】
１０，４０  シールド電線
１１        芯線部
１２        芯線被覆部
１３        絶縁内皮
１４        編組線
１５        絶縁外皮
１６        鍔状部
１７        第１スリーブ（スリーブ）
１８        第２スリーブ（スリーブ）
１９        付属線
２０        芯線
３０          スリーブ
【図１】
2006156299.tif 000003
【図２】
2006156299.tif 000004
【図３】
2006156299.tif 000005
【図４】
2006156299.tif 000006
【図５】
2006156299.tif 000007
【図６】
2006156299.tif 000008
【図７】
2006156299.tif 000009